(57)【要約】車両売買仲介方法は、車両売買仲介に関するウェブサイトをインターネット上に提供するサーバと、ウェブサイトに一般ユーザがアクセス可能な携帯電話機と、がインターネットを介して接続可能なシステムを用い、車両の売却を希望するユーザの車両売却情報をサーバ１に登録し、携帯電話機に備えられた情報読み取り手段により読み取り可能な２次元バーコード４３を売却希望ユーザの車両４０に取り付け、車両の購入を希望するユーザが携帯電話機１１の情報読み取り手段により車両の２次元バーコードから特定情報を取得し、購入希望ユーザが特定情報により通信端末からインターネットを介してサーバにアクセスしたとき、特定情報により特定される車両売却情報をサーバから読み出し、読み出された売却希望ユーザの車両売却情報を購入希望ユーザの携帯電話機にサーバから送信する。
2010134534.tif 000002
【特許請求の範囲】
【請求項１】
車両売買仲介に関するウェブサイトをインターネット上に提供する情報処理装置と、前記ウェブサイトに一般ユーザがアクセス可能である通信端末と、がインターネットを介して接続可能な車両売買仲介システムであって、
前記情報処理装置は、
ユーザの通信端末からインターネットを介して送信された情報を受信する受信手段と、
ユーザの通信端末に対しインターネットを介して情報を送信する送信手段と、
車両の売却を希望するユーザの車両売却情報を登録する第１ユーザ登録手段と、
通信端末に備えられた情報読み取り手段により読み取り可能な情報記録媒体が前記売却希望ユーザの車両に取り付けられた状態で、車両の購入を希望するユーザが通信端末の情報読み取り手段により前記車両の情報記録媒体から取得した特定情報によって前記通信端末からインターネットを介して前記ウェブサイトにアクセスしたとき、その特定情報により特定される前記第１ユーザ登録手段に登録された車両売却情報を読み出す手段と、
前記第１ユーザ登録手段から読み出された車両売却情報を前記購入希望ユーザの通信端末に前記送信手段により送信する手段と、
前記購入希望ユーザの通信端末から送信された購入希望情報を前記受信手段で受信し登録する第２ユーザ登録手段と、
前記第２ユーザ登録手段に登録された購入希望情報を前記売却希望ユーザの通信端末に前記送信手段により送信する手段と、を備えることを特徴とする車両売買仲介システム。
【請求項２】
車両売買仲介に関するウェブサイトをインターネット上に提供する情報処理装置と、前記ウェブサイトに一般ユーザがアクセス可能である通信端末と、がインターネットを介して接続可能な車両売買仲介システムであって、
前記情報処理装置は、
車両の売却を希望するユーザの車両売却情報がユーザ登録手段に登録されるとともに情報読み取り手段により読み取り可能な情報記録媒体が売却希望ユーザの車両に取り付けられた状態で、
車両の購入を希望するユーザが前記情報読み取り手段により前記車両の情報記録媒体から取得した特定情報によって通信端末からインターネットを介して前記ウェブサイトにアクセスしたとき、その特定情報により特定される車両売却情報を前記ユーザ登録手段から読み出し、
前記読み出された車両売却情報を前記購入希望ユーザの通信端末に送信手段により送信することを特徴とする車両売買仲介システム。
【請求項３】
前記情報記録媒体は車両の一部に貼り付け可能に構成され、
前記通信端末が携帯端末であり、
前記携帯端末が前記情報読み取り手段として前記貼り付けられた情報記録媒体から情報を読み取り可能な手段を備える請求項１または２に記載の車両売買仲介システム。
【請求項４】
前記情報処理装置は、前記車両売却情報を送信した前記購入希望ユーザの通信端末に対し、その車両についての購入希望情報を登録するか否かの問い合わせ情報を送信する手段を備える請求項１乃至３のいずれか１項に記載の車両売買仲介システム。
【請求項５】
前記情報処理装置は、前記第１ユーザ登録手段または前記ユーザ登録手段に登録された車両売却情報を前記ウェブサイトに公開する手段を備える請求項１乃至４のいずれか１項に記載の車両売買仲介システム。
【請求項６】
車両売買仲介に関するウェブサイトをインターネット上に提供する情報処理装置と、前記ウェブサイトに一般ユーザがアクセス可能な通信端末と、がインターネットを介して接続可能なシステムを用いた車両売買仲介方法であって、
車両の売却を希望するユーザの車両売却情報が前記情報処理装置のユーザ登録手段に登録される第１ステップと、
通信端末に備えられた情報読み取り手段により読み取り可能な情報記録媒体が前記売却希望ユーザの車両に取り付けられる第２ステップと、
車両の購入を希望するユーザにおいて通信端末が情報読み取り手段により前記車両の情報記録媒体から特定情報を取得する第３ステップと、
前記通信端末が前記特定情報によりインターネットを介して前記情報処理装置にアクセスしたとき、前記情報処理装置が前記特定情報により特定される車両売却情報を前記ユーザ登録手段から読み出す第４ステップと、
前記情報処理装置が前記車両売却情報を前記購入希望ユーザの通信端末に前記情報処理装置の送信手段により送信する第５ステップと、を含むことを特徴とする車両売買仲介方法。
【請求項７】
車両売買仲介に関するウェブサイトをインターネット上に提供する情報処理装置と、前記ウェブサイトに一般ユーザがアクセス可能な通信端末と、がインターネットを介して接続可能なシステムを用いた車両売買仲介方法であって、
車両の売却を希望するユーザの車両売却情報がユーザ登録手段に登録されるとともに情報読み取り手段により読み取り可能な情報記録媒体が前記売却希望ユーザの車両に取り付けられた状態で、
車両の購入を希望するユーザが前記情報読み取り手段により前記車両の情報記録媒体から取得した特定情報によって通信端末からインターネットを介して前記ウェブサイトにアクセスしたとき、前記情報処理装置が前記ユーザ登録手段から前記特定情報により特定される車両売却情報を読み出して前記購入希望ユーザの通信端末に送信することを特徴とする車両売買仲介方法。
【請求項８】
前記通信端末が携帯端末であり、
前記情報読み取り手段が前記携帯端末に備えられている請求項６または７に記載の車両売買仲介方法。
【請求項９】
前記車両売却情報を送信した前記購入希望ユーザの通信端末に対し、前記情報処理装置がその車両についての購入希望情報を登録するか否かの問い合わせ情報を送信するステップを含む請求項６乃至８のいずれか１項に記載の車両売買仲介方法。
【請求項１０】
前記車両情報を閲覧した購入希望ユーザの通信端末から送信された購入希望情報をインターネットを介して前記情報処理装置が受信して前記ユーザ登録手段に登録するステップと、
前記ユーザ登録手段に登録された購入希望情報をインターネットを介して前記情報処理装置が前記売却希望ユーザの通信端末に送信するステップと、を含む請求項６乃至９のいずれか１項に記載の車両売買仲介方法。
【請求項１１】
前記情報処理装置が前記ユーザ登録手段に登録された車両売却情報を前記ウェブサイトに公開するステップをさらに含む請求項６乃至１０のいずれか１項に記載の車両売買仲介方法。
【請求項１２】
請求項１乃至５のいずれか１項に記載の車両売買仲介システムの情報処理装置を前記各手段として機能させるため、または、請求項６乃至１０のいずれか１項に記載の車両売買仲介方法を情報処理装置に実行させるためのプログラム。
【発明の詳細な説明】
【技術分野】
【０００１】
本発明は、インターネットを利用した車両売買仲介システム、車両売買仲介方法およびプログラムに関する。
【背景技術】
【０００２】
従来、四輪車や二輪車等の車両の中古車販売は、中古車販売業者が中古車を仕入れて比較的広いスペースの展示場に陳列し、来店した一般客が現物を見たり試乗すること等によって取引が行われることが一般的であった。また、最近では、インターネットの普及に伴い、中古車販売業者がインターネット上で中古車販売ウェブサイトを提供し、ウェブサイト上で中古車の写真画像や車種や走行距離などの各種情報を公開し、購入しようとするユーザがそのウェブサイトにアクセスし各種情報を閲覧することで、取引が行われることも一般的になっている。【０００３】
特許文献１は、売り手が本部サーバのホームページで売りたい中古車の売却申込情報を入力すると、ホームページ上に車輌評価を行う取次店の所在地や電話番号などが提示され、売り手が第３者による車輌評価を受け、取次店において車輌評価結果をウェブサイトに登録し、売り手の売却申込情報とともにホームページを介して一般に公開するようにした中古車売買仲介システムを提案する。【０００４】
特許文献２は、有体物の識別符号を表示した表示部材及び記入部材を販売店で販売し、売却希望者は販売店で表示部材及び記入部材を購入して登録事項を記入部材に記入して仲介業者に記入部材を送付するとともに、表示部材を有体物に取り付けて公然知られる状態にし、仲介業者は入力手段を介して上記登録事項を電子記憶手段に記憶し、有体物の購入希望者は表示部材に表示されている連絡先に連絡して電子記憶手段に記憶されている売却情報を仲介業者から入手し、仲介業者は売却希望者に購入希望者の現われた旨を通信手段によって連絡し、上記有体物の売り買いを売却希望者と購入希望者との間で仲介業者を介して行うようにする有体物の仲介販売方法を提案する。
【先行技術文献】
【特許文献】
【０００５】
【特許文献１】特開２００７−２１３２１３号公報
【特許文献２】特開２００１−２９１００６号公報
【発明の概要】
【発明が解決しようとする課題】
【０００６】
中古車を仕入れて展示場に陳列する従来の営業方法によれば、中古車販売業者にとっては比較的広いスペースの展示場の確保や中古車の在庫について問題を有し、一般客にとっては展示場へのアクセスについて問題を有している。インターネット上で中古車販売ウェブサイトを提供する営業方法によれば、一般客の展示場へのアクセスの問題をある程度解決できるが、中古車販売業者における中古車の保管場所の確保や中古車の在庫の問題は依然として解決できずに残っている。【０００７】
特許文献１の中古車売買仲介システムによれば、第３者による車輌評価結果をウェブサイトに登録し売り手の売却申込情報とともにホームページを介して一般に公開するが、第３者の公正な評価情報もあわせて公開することが目的で、公開後の購入処理は、特許文献１の図４のように購入希望者がホームページを検索して買いたい中古車を選択し、購入希望情報を入力することから開始される点で、インターネット上で中古車販売ウェブサイトを提供する従来の営業方法と同様である。【０００８】
特許文献２の有体物の仲介販売方法によれば、売却希望者は登録事項を記入部材に記入して仲介業者に記入部材を送付するとともに、表示部材を有体物に取り付けて公然知られる状態にし、仲介業者は入力手段を介して上記登録事項を電子記憶手段に記憶し、有体物の購入希望者は表示部材に表示されている連絡先に連絡して電子記憶手段に記憶されている売却情報を仲介業者から入手するが、購入希望者は有体物に取り付けられた表示部材から連絡先の電話番号等を控えてから連絡先に連絡して売却情報を入手する必要があり、面倒で手間がかかり、また、迅速に売却情報を入手することができない。【０００９】
本発明は、上述のような従来技術の問題に鑑み、簡単にかつ迅速に車両の売却情報を入手可能であるとともに、従来のような展示場に陳列したりインターネット上に各種情報を公開して行われる中古車売買システム・方法とはまったく異なる車両売買仲介システム・方法、およびそのためのプログラムを提供することを目的とする。
【課題を解決するための手段】
【００１０】
上記目的を達成するために、本実施形態による車両売買仲介システムは、車両売買仲介に関するウェブサイトをインターネット上に提供する情報処理装置と、前記ウェブサイトに一般ユーザがアクセス可能である通信端末と、がインターネットを介して接続可能な車両売買仲介システムであって、前記情報処理装置は、ユーザの通信端末からインターネットを介して送信された情報を受信する受信手段と、ユーザの通信端末に対しインターネットを介して情報を送信する送信手段と、車両の売却を希望するユーザの車両売却情報を登録する第１ユーザ登録手段と、通信端末に備えられた情報読み取り手段により読み取り可能な情報記録媒体が前記売却希望ユーザの車両に取り付けられた状態で、車両の購入を希望するユーザが通信端末の情報読み取り手段により前記車両の情報記録媒体から取得した特定情報によって前記通信端末からインターネットを介して前記ウェブサイトにアクセスしたとき、その特定情報により特定される前記第１ユーザ登録手段に登録された車両売却情報を読み出す手段と、前記第１ユーザ登録手段から読み出された車両売却情報を前記購入希望ユーザの通信端末に前記送信手段により送信する手段と、前記購入希望ユーザの通信端末から送信された購入希望情報を前記受信手段で受信し登録する第２ユーザ登録手段と、前記第２ユーザ登録手段に登録された購入希望情報を前記売却希望ユーザの通信端末に前記送信手段により送信する手段と、を備えることを特徴とする。【００１１】
この車両売買仲介システムによれば、売却希望ユーザの車両に取り付けられた情報記録媒体から通信端末に備えられた情報読み取り手段により特定情報を取得し、その特定情報によって通信端末からインターネットを介して車両売買仲介に関するウェブサイトに自動的にアクセスすることができ、その特定情報により特定される第１ユーザ登録手段に登録された車両売却情報を読み出して購入希望ユーザの通信端末に送信する。したがって、購入希望ユーザは、駐車場等に駐車している車両を見て、購入に興味があるとき、車両に取り付けられた情報記録媒体から通信端末により特定情報を読み取るだけで、車両売却情報をその場で簡単にかつ迅速に閲覧することができる。このように、駐車場等に駐車している車両の売却情報をその場で直ぐに閲覧できることから、駐車場等が売却予定の車両の展示場となり、従来のような展示場スペースが不要となり、また、車両売買仲介であるから、中古車の仕入れが不要となり、展示場に陳列したりインターネット上に各種情報を公開して行われる従来のシステムとはまったく異なる車両売買仲介システムを提供することができる。【００１２】
もう１つの車両売買仲介システムは、車両売買仲介に関するウェブサイトをインターネット上に提供する情報処理装置と、前記ウェブサイトに一般ユーザがアクセス可能である通信端末と、がインターネットを介して接続可能な車両売買仲介システムであって、前記情報処理装置は、車両の売却を希望するユーザの車両売却情報がユーザ登録手段に登録されるとともに情報読み取り手段により読み取り可能な情報記録媒体が売却希望ユーザの車両に取り付けられた状態で、車両の購入を希望するユーザが前記情報読み取り手段により前記車両の情報記録媒体から取得した特定情報によって通信端末からインターネットを介して前記ウェブサイトにアクセスしたとき、その特定情報により特定される車両売却情報を前記ユーザ登録手段から読み出し、前記読み出された車両売却情報を前記購入希望ユーザの通信端末に送信手段により送信することを特徴とする。【００１３】
この車両売買仲介システムによれば、売却希望ユーザの車両に取り付けられた情報記録媒体から情報読み取り手段により特定情報を取得し、その特定情報によって通信端末からインターネットを介して車両売買仲介に関するウェブサイトに自動的にアクセスすることができ、その特定情報により特定される車両売却情報を読み出して購入希望ユーザの通信端末に送信する。したがって、購入希望ユーザは、駐車場等に駐車している車両を見て、購入に興味があるとき、車両に取り付けられた情報記録媒体から情報読み取り手段により特定情報を読み取るだけで、車両売却情報をその場で簡単にかつ迅速に閲覧することができる。このように、駐車場等に駐車している車両の売却情報をその場で直ぐに閲覧できることから、駐車場等が売却予定の車両の展示場となり、従来のような展示場スペースが不要となり、また、車両売買仲介であるから、中古車の仕入れが不要となり、展示場に陳列したりインターネット上に各種情報を公開して行われる従来のシステムとはまったく異なる車両売買仲介システムを提供することができる。【００１４】
上記車両売買仲介システムにおいて、前記情報記録媒体は車両の一部に貼り付け可能に構成され、前記通信端末が携帯端末であり、前記携帯端末が前記情報読み取り手段として前記貼り付けられた情報記録媒体から情報を読み取り可能な手段を備えることが好ましい。【００１５】
また、前記情報処理装置は、前記車両売却情報を送信した前記購入希望ユーザの通信端末に対し、その車両についての購入希望情報を登録するか否かの問い合わせ情報を送信する手段を備えることが好ましい。【００１６】
また、前記情報処理装置は、前記第１ユーザ登録手段または前記ユーザ登録手段に登録された車両売却情報を前記ウェブサイトに公開する手段を備えるようにしてもよく、情報記録媒体の売却希望ユーザの車両への取り付けと、ウェブサイトへの公開とによる２つのルートで車両販売の促進を図ることができる。【００１７】
本実施形態による車両売買仲介方法は、車両売買仲介に関するウェブサイトをインターネット上に提供する情報処理装置と、前記ウェブサイトに一般ユーザがアクセス可能な通信端末と、がインターネットを介して接続可能なシステムを用いた車両売買仲介方法であって、車両の売却を希望するユーザの車両売却情報が前記情報処理装置のユーザ登録手段に登録される第１ステップと、通信端末に備えられた情報読み取り手段により読み取り可能な情報記録媒体が前記売却希望ユーザの車両に取り付けられる第２ステップと、車両の購入を希望するユーザにおいて通信端末が情報読み取り手段により前記車両の情報記録媒体から特定情報を取得する第３ステップと、前記通信端末が前記特定情報によりインターネットを介して前記情報処理装置にアクセスしたとき、前記情報処理装置が前記特定情報により特定される車両売却情報を前記ユーザ登録手段から読み出す第４ステップと、前記情報処理装置が前記車両売却情報を前記購入希望ユーザの通信端末に前記情報処理装置の送信手段により送信する第５ステップと、を含むことを特徴とする。【００１８】
この車両売買仲介方法によれば、売却希望ユーザの車両に取り付けられた情報記録媒体から通信端末に備えられた情報読み取り手段により特定情報を取得し、その特定情報によって通信端末からインターネットを介して車両売買仲介に関するウェブサイトに自動的にアクセスすることができ、その特定情報により特定されるユーザ登録手段に登録された車両売却情報を読み出して購入希望ユーザの通信端末に送信する。したがって、購入希望ユーザは、駐車場等に駐車している車両を見て、購入に興味があるとき、車両に取り付けられた情報記録媒体から通信端末により特定情報を読み取るだけで、車両売却情報をその場で簡単にかつ迅速に閲覧することができる。このように、駐車場等に駐車している車両の売却情報をその場で直ぐに閲覧できることから、駐車場等が売却予定の車両の展示場となり、従来のような展示場スペースが不要となり、また、車両売買仲介であるから、中古車の仕入れが不要となり、展示場に陳列したりインターネット上に各種情報を公開して行われる従来の方法とはまったく異なる車両売買仲介方法を提供することができる。【００１９】
もう１つの車両売買仲介方法は、車両売買仲介に関するウェブサイトをインターネット上に提供する情報処理装置と、前記ウェブサイトに一般ユーザがアクセス可能な通信端末と、がインターネットを介して接続可能なシステムを用いた車両売買仲介方法であって、車両の売却を希望するユーザの車両売却情報がユーザ登録手段に登録されるとともに情報読み取り手段により読み取り可能な情報記録媒体が前記売却希望ユーザの車両に取り付けられた状態で、車両の購入を希望するユーザが前記情報読み取り手段により前記車両の情報記録媒体から取得した特定情報によって通信端末からインターネットを介して前記ウェブサイトにアクセスしたとき、前記情報処理装置が前記ユーザ登録手段から前記特定情報により特定される車両売却情報を読み出して前記購入希望ユーザの通信端末に送信することを特徴とする。【００２０】
この車両売買仲介方法によれば、売却希望ユーザの車両に取り付けられた情報記録媒体から情報読み取り手段により特定情報を取得し、その特定情報によって通信端末からインターネットを介して車両売買仲介に関するウェブサイトに自動的にアクセスすることができ、その特定情報により特定される車両売却情報を読み出して購入希望ユーザの通信端末に送信する。したがって、購入希望ユーザは、駐車場等に駐車している車両を見て、購入に興味があるとき、車両に取り付けられた情報記録媒体から情報読み取り手段により特定情報を読み取るだけで、車両売却情報をその場で簡単にかつ迅速に閲覧することができる。このように、駐車場等に駐車している車両の売却情報をその場で直ぐに閲覧できることから、駐車場等が売却予定の車両の展示場となり、従来のような展示場スペースが不要となり、また、車両売買仲介であるから、中古車の仕入れが不要となり、展示場に陳列したりインターネット上に各種情報を公開して行われる従来の方法とはまったく異なる車両売買仲介方法を提供することができる。【００２１】
上記車両売買仲介方法において前記通信端末が携帯端末であり、前記情報読み取り手段が前記携帯端末に備えられていることが好ましい。【００２２】
また、前記車両売却情報を送信した前記購入希望ユーザの通信端末に対し、前記情報処理装置がその車両についての購入希望情報を登録するか否かの問い合わせ情報を送信するステップを含むことが好ましい。【００２３】
また、前記車両情報を閲覧した購入希望ユーザの通信端末から送信された購入希望情報をインターネットを介して前記情報処理装置が受信して前記ユーザ登録手段に登録するステップと、前記ユーザ登録手段に登録された購入希望情報をインターネットを介して前記情報処理装置が前記売却希望ユーザの通信端末に送信するステップと、を含むことが好ましい。【００２４】
また、前記情報処理装置が前記ユーザ登録手段に登録された車両売却情報を前記ウェブサイトに公開するステップをさらに含むようにしてもよく、情報記録媒体の売却希望ユーザの車両への取り付けと、ウェブサイトへの公開とによる２つのルートで車両の販売促進を図ることができる。【００２５】
さらに、プログラムは、上述の車両売買仲介システムの情報処理装置を前記各手段として機能させるため、または、上述の車両売買仲介方法を情報処理装置に実行させるためのコンピュータ用プログラムである。かかるプログラムがコンピュータ機能を有する情報処理装置にインストールされることで、上述の車両売買仲介システムまたは車両売買仲介方法を動作させ実行させることが可能となる。
【発明の効果】
【００２６】
本発明によれば、簡単にかつ迅速に車両の売却情報を入手可能であるとともに、従来のような展示場に陳列したりインターネット上に各種情報を公開して行われる中古車売買システム・方法とはまったく異なる車両売買仲介システム・方法、およびそのためのプログラムを提供することができる。
【図面の簡単な説明】
【００２７】
【図１】本実施形態における車両売買仲介システムの全体を概念的に示す図である。
【図２】図１のサーバの構成・機能を概略的に示すブロック図である。
【図３】図１の携帯電話機の構成例を概略的に示すブロック図である。
【図４】本実施形態による車両売買仲介システムの具体例を説明するための概念図である。
【図５】図１，図２のサーバのデータベース部内の売却希望ユーザ情報登録部に登録される車両売却情報の例を示す図である。
【図６】図１，図２のサーバから送信されて携帯電話機の表示部に表示される、購入希望情報を登録するか否かの問い合わせ情報の例を示す図である。
【図７】図１〜図４の車両売買仲介システムによる車両売買仲介のステップＳ０１〜Ｓ１０を説明するためのフローチャートである。
【図８】図７のステップＳ１０以降において売却希望ユーザと購入希望ユーザとの交渉から成約に至るまでのステップＳ１１〜Ｓ１８を説明するためのフローチャートである。
【図９】図１〜図４の車両売買仲介システムによる車両売買仲介の別のステップＳ２１〜Ｓ２４を説明するためのフローチャートである。
【発明を実施するための形態】
【００２８】
以下、本発明を実施するための形態について図面を用いて説明する。図１は本実施形態における車両売買仲介システムの全体を概念的に示す図である。
【００２９】
図１に示すように、車両売買仲介システムは、システム管理者が管理するコンピュータ機能を備えた情報処理装置（以下、「サーバ」という。）１と、多数の一般ユーザ等がそれぞれ有する通信端末装置である携帯電話機１１、１２、１３、１４、１５と、がインターネット１０を介して接続可能に構成されている。なお、携帯電話機１１〜１５は基地局や中継局を介して無線でインターネット１０に接続するのが一般的であるが、図１では基地局や中継局の図示を省略している。
【００３０】
サーバ１は、一般ユーザの携帯電話機１１〜１５から各種情報を受信しまた一般ユーザの携帯電話機１１〜１５に各種情報を送信するＷＷＷサーバ２と、ユーザのユーザネーム等のＩＤとパスワードとの照合等の具体的数字を処理等するプログラムを格納したＣＧＩサーバ３と、ＷＷＷサーバ２から送られたユーザ情報等の各種情報を記憶し登録し、検索可能な状態にし、検索した情報をＷＷＷサーバ２に送るデータベースサーバ４と、を備える。なお、ＣＧＩサーバ３は、例えばＰＨＰなどの処理プログラムを含む場合もある。
【００３１】
サーバ１は、車両売買仲介システムのウェブサイトを提供し、このウェブサイトには、ＵＲＬ（Uniform Resource Locator）を指定してインターネット１０を介して何人も携帯電話機またはパーソナルコンピュータ（パソコン）等によりアクセス可能となっている。
【００３２】
サーバ１の構成・機能の一例について図２を参照して説明する。図２は図１のサーバの構成・機能を概略的に示すブロック図である。図２のように、サーバ１は、ＷＷＷサーバ等から構成される通信部１ａと、ＣＧＩサーバ等から構成されるＩＤ情報照合部１ｂと、電子メール情報を作成するとともにインターネット上でメールアドレスの指定によりユーザとの間で送受信する電子メール部１ｃと、各種制御を実行するＣＰＵ（中央演算処理装置）１ｄと、制御の際のプログラムや各種情報を一時的に保持するＲＡＭ等からなるメモリ１ｅと、ハードディスクや磁気記録媒体等からなる記憶装置を備えデータベースサーバから構成されてユーザ情報や車両売買仲介に関する各種情報を記憶し保存するデータベース部１ｆと、ＣＲＴや液晶パネル等からなる表示部１ｇと、キーボードやマウス等のポインティングデバイスからなる情報入力部１ｈと、ハードディスクやＲＯＭ等からなる記憶装置を備えＯＳ（オペレーティングシステム）２１や車両売買仲介管理ソフト２２等のソフトウエアを格納するソフトウエア格納部１ｉと、を具備する。
【００３３】
図２のように、データベース部１ｆは、データベースの一部として、車両の売却を希望するユーザの車両売却情報やユーザの個人情報を記憶し登録する売却希望ユーザ情報登録部２４と、車両の購入を希望するユーザの購入希望情報やユーザの個人情報を記憶し登録する購入希望ユーザ情報登録部２５と、を備え、また、データベース内の各種情報を指定された検索条件で検索する情報検索部２３と、購入希望ユーザが始めてアクセスしたときに、売却希望ユーザ情報登録部２４に登録された車両売却情報から公開する情報を生成する公開情報生成部２６と、を備える。
【００３４】
図１、図２のサーバ１のソフトウエア格納部１ｉの車両売買仲介管理ソフト２２には、車両売買仲介管理のためのプログラムがインストールされて格納されており、このプログラムがＣＰＵ１ｄの制御により実行されることで、サーバ１は、図７，図８，図９等における各ステップを実行することができる。
【００３５】
図１の携帯電話機１１〜１５は、テンキー等の各種の入力キー、操作キーが配置されて情報入力を行う情報入力部１１ｇ（図３）と、各種情報を表示する液晶パネル等からなる表示部１１ａ、１２ａ、１３ａ、１４ａ、１５ａをそれぞれ備える。図３を参照して携帯電話機１１を例にしてさらに説明する。図３は図１の携帯電話機１１の構成例を概略的に示すブロック図である。
【００３６】
図３のように、携帯電話機１１は、表示部１１ａと、インターネットを介して無線で外部との送受信を行う無線通信インターフェース（Ｉ／Ｆ）１１ｂと、受信部３１と送信部３２とを備え電子メール情報が作成されてメールアドレスの指定によりインターネットを介して送受信を行う電子メール部１１ｃと、携帯電話機の各種制御を実行するＣＰＵ（中央演算処理装置）１１ｄと、制御の際のプログラムや各種情報を一時的に保持するＲＡＭ等からなるメモリ１１ｅと、各種情報やプログラムを記憶するＲＯＭやＲＡＭ等からなる記憶部１１ｆと、情報入力部１１ｇと、レンズおよびＣＣＤエリアセンサ等からなるカメラ部１１ｉと、２次元バーコード等の情報記録媒体から情報を読み取る読取部１１ｊと、を備える。記憶部１１ｆの一部には、ＯＳ（オペレーティングシステム）３３や各種アプリケーションソフト３４やインターネット１０と接続するためのブラウザ３５等のソフトウエアを格納するソフトウエア格納部１１ｈが構成されている。
【００３７】
携帯電話機１１は、ブラウザ３５を起動させＵＲＬを指定することにより、サーバ１がＷｅｂ上で提供する車両売買仲介システムのウェブサイトにアクセス可能となる。
【００３８】
図３の読取部１１ｊは、カメラ部１１ｉで例えば２次元バーコードを撮影した画像内から２次元バーコードを認識し、その２次元バーコードの画像から文字情報をデコード化するようになっており、携帯電話機に一般的に装備されている機能である。２次元バーコードに記録された情報がウェブサイトのＵＲＬである場合、携帯電話機１１は、読取部１１ｊでＵＲＬをデコードすると、自動的にブラウザ３５を起動させて、そのＵＲＬを指定し、ウェブサイトに接続するようになっている。携帯電話機１２〜１５も携帯電話機１１と同様に構成されている。
【００３９】
また、図１のように、サーバ１が提供する車両売買仲介システムのウェブサイトには、インターネット１０を介してパーソナルコンピュータ（パソコン）１６もアクセス可能である。パソコン１６の構成は、図３の携帯電話機と基本的に同様であり、ＣＲＴや液晶パネル等からなる表示部１６ａ（図１）と、インターネットを介して外部との送受信を行う通信インターフェース（Ｉ／Ｆ）と、受信部と送信部とを備え電子メール情報が作成されてメールアドレスの指定によりインターネットを介して送受信を行う電子メール部と、各種制御を実行するＣＰＵ（中央演算処理装置）と、制御の際のプログラムや各種情報を一時的に保持するＲＡＭ等からなるメモリと、各種情報を記憶するハードディスクや光ディスクや磁気記録媒体等からなる記憶装置と、情報入力部と、ハードディスクや光ディスクや磁気記録媒体等からなる記憶装置を備えＯＳ（オペレーティングシステム）や各種アプリケーションソフトやインターネット１０と接続するためのブラウザ等のソフトウエアを格納するソフトウエア格納部と、を備える。パソコン１６は、ブラウザを起動しＵＲＬを指定することにより、サーバ１が提供する車両売買仲介システムのウェブサイトにアクセスできる。
【００４０】
次に、本実施形態による車両売買仲介システムの具体例について図１〜図６を参照して説明する。図４は本実施形態による車両売買仲介システムの具体例を説明するための概念図である。図５は図１，図２のサーバ１のデータベース部１ｆ内の売却希望ユーザ情報登録部２４に登録される車両売却情報の例を示す図である。図６は、図１，図２のサーバ１から送信されて携帯電話機の表示部に表示される、購入希望情報を登録するか否かの問い合わせ情報の例を示す図である。
【００４１】
図４の車両４０についての売却希望ユーザは、例えば、図５のような車両売却情報を図１，図２のサーバ１のデータベース部１ｆ内の売却希望ユーザ情報登録部２４にあらかじめ登録しておく。なお、売却希望ユーザ情報登録部２４には、図５の登録番号に対応して、その車両の売却希望ユーザの個人情報（名前、住所、電話番号、メールアドレスなど）も登録されている。
【００４２】
図４のように、車両４０の売却希望ユーザは、車両４０の所定位置（例えば、リアウィンドウ左側）に売却予定であることを示す表示シール（バーコードシール）４１を貼り付ける。表示シール４１には、例えば図のような売却予定の説明のための文章４２とともに、２次元バーコード４３がプリントされている。２次元バーコード４３には、車両売買仲介システムのウェブサイトのＵＲＬ情報がコード化されて記録されており、そのＵＲＬにより、例えば、図５の登録番号「０９０１１」の車両売却情報を特定することができる。表示シール４１には貼り付けを容易にするために予め接着剤が塗布されていることが好ましい。
【００４３】
購入希望ユーザが駐車場等に駐車している車両４０を見て、その所定位置に貼り付けられた表示シール４１を確認し、携帯電話機１１のカメラ部１１ｉで２次元バーコード４３を撮影することで、携帯電話機１１は、読取部１１でデコードされて得られたＵＲＬにより、インターネット１０を介してサーバ１が提供する車両売買仲介システムのウェブサイトに自動的にアクセスする。
【００４４】
サーバ１は、上記アクセスがあると、売却希望ユーザ情報登録部２４に登録されている車両４０の車両売却情報を読み出し、携帯電話機１１にメール送信する。受信した携帯電話機１１の表示部１１ａには、例えば、図４のような車両売却情報５１が表示される。車両売却情報５１には、車両を購入しようとするユーザが購入を判断するために必要な最小限の最小限情報５２と、売却希望ユーザによる短文の広告コメント５３とが含まれる。
【００４５】
上述のようにして、購入希望ユーザは、駐車場等で車両４０に貼り付けられた表示シール４１を視認することで車両４０が売却予定であることを知ることができるとともに、その車両４０の購入に興味があれば、表示シール４１の２次元バーコード４３を携帯電話機１１のカメラ部１１ｉで撮影することで、図４のような車両売却情報５１をその場で直ちに閲覧することができる。
【００４６】
なお、図２のデータベース部１ｆ内の売却希望ユーザ情報登録部２４に登録される図５の車両売却情報の各項目は一例であって、一部を省略したり、また、例えば車両についての評価結果等の他の情報を追加してもよい。
【００４７】
図４のように購入希望ユーザが最初にアクセスしたときにサーバ１から携帯電話機１１に送信し表示させる最小限情報５２は、図４の例に限定されず、公開する情報を適宜増減することができる。すなわち、図５のような売却希望ユーザ情報登録部２４に登録された車両売却情報から図４のような最小限情報５２として公開する情報を図２の公開情報生成部２６で生成するために、公開すべき情報の項目を図２の公開情報生成部２６に予め指定しておくが、この指定する情報の項目を変更することで公開する情報を増減できる。また、短文の広告コメント５３は、売却希望ユーザが車両売却情報を登録するときに、あわせて売却希望ユーザ情報登録部２４に登録することができ、また、適宜更新可能である。
【００４８】
また、購入希望ユーザが図４のような車両売却情報５１を閲覧した結果、購入に興味がある場合には、購入希望情報を携帯電話機１１から送信することで、その購入希望情報が図２の購入希望ユーザ情報登録部２５に、売却希望ユーザ情報登録部２４に登録された登録番号に対応付けて登録される。すなわち、例えば、サーバ１から図４の車両売却情報５１を購入希望ユーザの携帯電話機１１に送信するとき、あわせて図６のような購入希望ユーザ情報の登録をするか否かの問い合わせ文６２を含む問い合わせ情報６１を送信する。購入希望ユーザが登録を希望する場合は、図６のYesボタン６３を選択しクリックすることで、購入希望情報が携帯電話機１１から図２のサーバ１に送信され購入希望ユーザ情報登録部２５に登録される。
【００４９】
次に、図１〜図４の車両売買仲介システムによる車両売買仲介のステップＳ０１〜Ｓ１０について図７のフローチャートを参照して説明する。
【００５０】
図４の車両４０の売却希望ユーザは、図５のような車両売却情報を図１，図２のサーバ１に登録する（Ｓ０１）。このとき、売却希望ユーザの個人情報（名前、住所、電話番号、メールアドレスなど）もあわせて登録する。また、図４のような短文の広告コメント５３もサーバ１に登録できるが、後で追加登録してもよい。
【００５１】
上述の売却希望ユーザからサーバ１への車両売却情報の登録方法には、例えば、次のような方法(1)〜(3)があるが、これらに限定されるものではなく、他の方法であってもよい。
【００５２】
(1)売却希望ユーザが、例えば、図１の携帯電話機１５やパソコン１６で、サーバ１が提供する車両売買仲介システムのウェブサイトにアクセスし、図５のような車両売却情報を入力しサーバ１に送信し、サーバ１が受信することで、図５のような車両売却情報がサーバ１の売却希望ユーザ情報登録部２４に登録される。登録が完了すると、車両売買仲介システムの運営者は、図４のような２次元バーコード４３がプリントされた表示シール４１を売却希望ユーザに郵送する。
【００５３】
(2)売却希望ユーザが、例えば、コンビニエンスストアや自動車部品販売店やガソリンスタンド等の取次店で図５のような車両売却情報を申し込み用紙に記入することで売却希望ユーザ登録を申し込み、その場で、図４のような２次元バーコード４３がプリントされた表示シール４１を受け取る。売却希望ユーザ登録の申し込みを受け付けた取次店は、図１の携帯電話機１４やパソコン１６により、所定用紙に記入された図５のような車両売却情報を入力しサーバ１に送信し、サーバ１が受信することで、図５のような車両売却情報がサーバ１の売却希望ユーザ情報登録部２４に登録される。
【００５４】
(3)売却希望ユーザが、図５のような車両売却情報を記入する欄が設けられた所定用紙を、例えば、スーパーマーケットやコンビニエンスストアや自動車部品販売店やガソリンスタンドやレストランや高速道路サービスエリア等で、または、新聞や雑誌等の折り込みちらしや雑誌等の広告頁等から、取得し、必要事項を記入し、車両売買仲介システムの運営者に郵送する。車両売買仲介システムの運営者は、郵送されてきた所定用紙に記入された図５のような車両売却情報をサーバ１に入力することで、図５のような車両売却情報がサーバ１の売却希望ユーザ情報登録部２４に登録される。図４のような２次元バーコード４３がプリントされた表示シール４１は、車両売買仲介システムの運営者から売却希望ユーザに郵送されるようにしてよいが、これに限定されず、例えば、所定用紙に添付されていてもよい。
【００５５】
上述のようにして得た図４のような２次元バーコード４３がプリントされた表示シール（バーコードシール）４１を売却希望ユーザの車両４０の所定位置に貼り付ける（Ｓ０２）。２次元バーコード４３には、車両売買仲介システムのウェブサイトにおける図５の登録番号までのＵＲＬ情報がコード化されている。
【００５６】
購入希望ユーザが、駐車場等に駐車している車両４０を見て、所定位置に貼り付けられた表示シール４１を視認し、車両４０が売却予定であることを知り、その車両４０の外観の確認等により車両４０の購入に興味を持ったとき、携帯電話機１１によりカメラ部１１ｉで表示シール４１の２次元バーコード４３を撮影する。かかる撮影操作により、２次元バーコード４３のＵＲＬ情報が読取部１１でデコードされて読み取られる（Ｓ０３）。そして、携帯電話機１１のブラウザ３５が起動し、読み取られたＵＲＬが指定されてサーバ１が提供する車両売買仲介システムのウェブサイトに自動的にアクセスする（Ｓ０４）。
【００５７】
次に、サーバ１は、指定されたＵＲＬにより、例えば売却希望ユーザ情報登録部２４に登録された図５の登録番号「０９０１１」の車両売却情報を特定して読み出し、公開情報生成部２６で図４の最小限情報５２を生成する（Ｓ０５）。
【００５８】
次に、サーバ１は、上述の最小限情報５２と短文の広告コメント５３とを含む図４の車両売却情報５１を購入希望ユーザの携帯電話機１１にメール送信し（Ｓ０６）、受信した携帯電話機１１の表示部１１ａには図４の車両売却情報５１が表示され、また、図４の車両売却情報５１の次のページには、図６のような問い合わせ情報６１が表示される。
【００５９】
図４の車両売却情報５１を携帯電話機１１で受信した購入希望ユーザは、車両売却情報５１を見て、購入に興味があり、登録を希望する場合（Ｓ０７）、図６のYesボタン６３を選択しクリックすることで、購入希望ユーザの購入希望情報がサーバ１に送信される（Ｓ０８）。これにより、購入希望情報が図２の購入希望ユーザ情報登録部２５に図５の登録番号「０９０１１」と関連付けて登録される（Ｓ０９）。
【００６０】
次に、上述のように購入希望情報が登録されると、その購入希望情報は、サーバ１から売却希望ユーザの携帯電話機１５やパソコン１６に送信される（Ｓ１０）。これにより、売却希望ユーザは車両４０の購入希望者が現れたことを知ることができる。
【００６１】
なお、ステップＳ０７で登録を希望しない場合は、図６のNoボタン６４を選択しクリックすることで、登録を希望しない旨の情報がサーバ１に送信され、購入希望情報が登録されず、上述の購入希望ユーザによる購入手続きは進展せず、終了となる。
【００６２】
また、ステップＳ０９で購入希望情報が購入希望ユーザ情報登録部２５に登録されると、サーバ１は購入希望ユーザに対し、その個人情報を登録するようにメール送信し、購入希望ユーザは携帯電話機１１により個人情報（名前、住所、電話番号、メールアドレスなど）を入力しサーバ１に送信することで、購入希望ユーザの個人情報がサーバ１の購入希望ユーザ情報登録部２５に登録される。この購入希望ユーザの個人情報は、ステップＳ０８で購入希望ユーザの購入希望情報がサーバ１に送信されるときに、あわせて送信されて登録されるように構成してもよい。
【００６３】
以上のようにして、売却希望ユーザの車両４０の売却希望に対し、購入希望ユーザが現れると、以降、売却希望ユーザと購入希望ユーザとの間における売却条件（購入条件）に関する交渉に移る。この交渉は、車両売買仲介システムの運営者が仲介して進めるようにしてよいが、両者が直接行うようにしてもよい。
【００６４】
次に、図７のステップＳ１０以降において売却希望ユーザと購入希望ユーザとの交渉から成約に至るまでのステップＳ１１〜Ｓ１８について図８のフローチャートを参照して説明する。
【００６５】
購入希望ユーザは、サーバ１の売却希望ユーザ情報登録部２４に登録された図５の車両売却情報を携帯電話機１１等で閲覧する（Ｓ１１）。なお、かかる購入希望ユーザによるサーバ１に登録された車両売却情報の閲覧は、図７のステップＳ０９で購入希望情報を登録した購入希望ユーザのみが可能であるように制限してもよい。
【００６６】
次に、購入希望ユーザが他の情報がさらに必要なとき（Ｓ１２）、その旨が購入希望ユーザの携帯電話機１１からサーバ１に送信され、売却希望ユーザまたは車両売買仲介システムの運営者は他の情報を用意しインターネットを介して購入希望ユーザの携帯電話機１１に送信することで提示する（Ｓ１３）。他の情報には、例えば、車検証の写しや車両についての第三者による車両評価書等があるが、これらに限定されるものではない。なお、ステップＳ１２では、例えば、購入希望ユーザが車両の試乗やレンタルの申し込みをしてもよく、この場合、売却希望ユーザはステップＳ１３で車両の試乗やレンタルに応じる。
【００６７】
次に、購入希望ユーザは、車両の購入条件を携帯電話機１１に入力しサーバ１に送信することで提示する（Ｓ１４）。なお、購入条件には、購入額および引き渡し時期等の付帯条件がある。
【００６８】
購入条件の提示を受けた売却希望ユーザがその購入条件に同意すれば（Ｓ１５）、契約成立となるが（Ｓ１８）、同意に至らない場合は（Ｓ１５）、交渉を続けるか否かを互いに判断し（Ｓ１６）、交渉を続ける場合は購入条件または売却条件を再提示し（Ｓ１７）、互いに同意すれば契約成立となる（Ｓ１８）。ステップＳ１５〜Ｓ１７における交渉は、インターネットを介した携帯電話機やパソコンによる送信・受信で行うことができる。
【００６９】
以上のように、本実施形態の車両売買仲介システムによれば、各種の駐車場等において購入希望ユーザが車両を見て図４の表示シール４１の視認により売却予定の車両であることを知ることができ、その車両の購入に興味が生じたとき、携帯電話機１１のカメラ部１１ｉで表示シール４１の２次元バーコード４３を撮影するという操作を介するだけで、その場でその車両の売却情報を直ちに閲覧できることから、駐車場等が中古車の展示場の代わりとなる。したがって、従来の中古車販売営業とは異なり、中古車の仕入れおよび展示が不要となるので、中古車販売業者にとって中古車の在庫をかかえる問題および展示場のための広いスペースの確保という問題をあわせて解決することができる。
【００７０】
また、購入希望ユーザは、駐車場等で売却予定の車両を見て携帯電話機を操作するだけで、その場でその車両の売却情報を閲覧できるので、簡単にかつ迅速に車両売却情報を知ることができ、購入手続きを進めるか否かの判断を比較的早くすることができる。また、購入希望ユーザにとって、展示場に出向くことはなくなるので、展示場へのアクセスの問題はない。
【００７１】
また、売却希望ユーザにとっては、車両を中古車販売業者に売り渡す必要がないので、購入希望ユーザへ引き渡すまで車両を使用することができる。
【００７２】
また、従来のように中古車販売業者が中古車を仕入れて販売するのではなく、車両売買仲介システムの運営者が車両の売買を仲介するだけであり、中間マージンがなく仲介手数料が必要なだけであるので、売却希望ユーザにとっては比較的高価に車両を売却可能であり、購入希望ユーザにとっては比較的廉価に車両を購入可能である。
【００７３】
次に、図１〜図４の車両売買仲介システムによる車両売買仲介の別のステップＳ２１〜Ｓ２４について図９のフローチャートを参照して説明する。
【００７４】
図９の例は、車両売却情報がサーバ１に登録されてから、図４のバーコード４３がプリントされた表示シール４１を車両４０に貼り付け、また、車両売却情報をインターネット上に公開するようにしたものである。
【００７５】
すなわち、売却希望ユーザは、図７のステップＳ０１と同様にして車両売却情報をサーバ１に登録する（Ｓ２１）。次に、売却希望ユーザは、車両売却情報の公開方法を、(1)バーコード４３がプリントされた表示シール４１の車両４０への貼り付けのみ、(2)車両売却情報のインターネット上への公開のみ、(3)貼り付けと公開の両方、から選択し（Ｓ２２）、その選択情報をサーバ１に送信することで、その公開方法がサーバ１の売却希望ユーザ情報登録部２４に登録される。
【００７６】
次に、(1)(3)の場合は、図７のステップＳ０２と同様に図４の２次元バーコード４３がプリントされた表示シール（バーコードシール）４１を車両４０に貼り付ける（Ｓ２３）。また、(2)(3)の場合、図５と同様の車両売却情報が、サーバ１が提供する車両売買仲介システムのウェブサイト上に公開される（Ｓ２４）。
【００７７】
なお、図９のステップＳ２３以降は、例えば、図７のステップＳ０３〜Ｓ１０と同様であり、また、ステップＳ２４以降は、例えば、図７のステップＳ０７〜Ｓ１０と同様にすることができる。
【００７８】
図９によれば、図４の２次元バーコード４３がプリントされた表示シール４１を車両４０に貼り付けるとともに、車両売却情報をインターネット上に公開することで、２つのルートから車両の販売を図ることができる。また、車両売却情報の公開方法を選択可能とすることで、売却希望ユーザの好みの方法(1)〜(3)のいずれかで車両の販売を図ることができる。
【００７９】
なお、図９のステップＳ２２における車両売却情報の公開方法の選択は、登録後にも適宜変更可能とすることが好ましい。また、車両売却情報をウェブサイト上に公開するときには、車両の写真画像もあわせて公開するようにしてもよい。
【００８０】
また、図９のステップＳ２４においてウェブサイト上に公開する車両売却情報は、サーバ１の売却ユーザ情報登録部２４に登録された図５の車両売却情報の全部でなくともよく、この場合は、図２のサーバ１のデータベース部１ｆに設けられたサイト公開情報生成部２７に公開する情報項目を指定しておき、サーバ１がウェブサイト上に車両売却情報を公開するとき、サイト公開情報生成部２７が指定された情報項目によりウェブサイトへの公開のための車両売却情報を生成するようにしてもよい。
【００８１】
また、図９において、上記２つのルートから車両販売の促進を図る観点から、ステップＳ２２を省略し、バーコード４３がプリントされた表示シール４１の車両４０への貼り付けと、車両売却情報のインターネット上への公開と、の両方を行うものとするようにしてもよい。
【００８２】
以上のように本発明を実施するための形態について説明したが、本発明はこれらに限定されるものではなく、本発明の技術的思想の範囲内で各種の変形が可能である。例えば、売却希望ユーザの車両に取り付けられる情報記録媒体として、２次元バーコードを用いたが、本発明は、これに限定されず、非接触で情報の読み取り可能な情報記録媒体であれば他の構成であってもよい。例えば、ＩＣタグであってもよく、ＩＣタグからの情報読み取り可能なリーダ付きの携帯電話機が実用化されている。
【００８３】
また、２次元バーコードには、スタック式とマトリックス式があるが、いずれでもよい。また、１次元バーコードでもよいが、読み取り性（読み取り方向性がない）等の観点から２次元バーコードが好ましい。
【００８４】
また、購入希望ユーザの通信端末として、携帯電話機に限定されず、インターネット接続可能な携帯端末装置（ＰＤＡ）や携帯型パソコンであってもよく、この携帯端末装置等は２次元バーコードやＩＣタグ等の情報記録媒体から情報を読み取ることのできる情報読み取り手段を有するかまたはかかる情報読み取り手段と接続可能である。
【００８５】
また、車両売買仲介システムのウェブサイトへのアクセスは、何人も可能に構成することができるが、登録したユーザのみに限定してもよく、この場合、登録したユーザごとにユーザ名等のＩＤとパスワードとが決められて、アクセスのときＩＤとパスワードとを入力し、両者が一致したときにアクセスが許可される。この場合、購入希望ユーザの２次元バーコード読み取りによる最初のアクセスは何人も可能としてもよい。
【００８６】
また、車両売買仲介システムのウェブサイトへのアクセスを携帯電話機で行う場合、ユーザが最初にアクセスしたとき、その携帯電話機の携帯固有情報が自動的にサーバ１に登録され、以降のアクセスをその携帯電話機で行う場合には、ＩＤとパスワードとの入力なしでアクセスが許可されるようにしてもよい。携帯固有情報は、携帯電話機毎に付与され、サーバ１にアクセスする度にその携帯固有情報もあわせて送信される。携帯固有情報は、携帯固有番号、携帯端末情報、携帯端末番号、固体識別番号、固体識別情報、ＵＩＤ、端末ＩＤ、固有端末ＩＤ、端末製造番号、ＥＺ番号、または、端末シリアル番号などともいわれる。
【００８７】
また、図４の表示シール４１の売却予定の説明のための文章４２やその表示態様、図４の車両売却情報５１の表示態様、および、図６の問い合わせ情報６１の文章やその表示態様は、一例であって、適宜変更可能であることはもちろんである。
【００８８】
また、図７のステップＳ０８，Ｓ０９等における購入希望情報は、その車両についての購入希望ユーザの購入希望の意思表示に関する情報であるが、購入額等の購入条件を含めてもよく、この場合は、携帯電話機から購入条件もあわせてサーバ１に送信し登録可能なように構成してもよい。
【００８９】
また、図１，図２のサーバ（情報処理装置）の構成例は一例であって、他の構成であってもよいことはもちろんであり、また、図１では情報処理装置が１台であるが、複数台から構成されてもよい。さらに、図３の携帯電話機の構成例は一例であって、他の構成であってもよいことはもちろんである。
【００９０】
また、本発明の車両売買仲介システム・方法が取り扱う車両は、四輪車に限定されず、自転車を含む二輪車等であってもよく、また水上用の船やヨット等を取り扱うようにしてもよい。
【産業上の利用可能性】
【００９１】
本発明の車両売買仲介システム・方法、およびそのためのプログラムによれば、従来のような展示場スペースや中古車の仕入れが不要となり、展示場に陳列したりインターネット上に各種情報を公開して行われる従来のシステム・方法とはまったく異なる新たな車両売買仲介システム・方法を実現できる。
【符号の説明】
【００９２】
１ サーバ、情報処理装置
１０ インターネット
１１〜１５ 携帯電話機
１１ｉ カメラ部
１１ｊ 読取部
１６ パーソナルコンピュータ
２２ 車両売買仲介管理ソフト
２４ 売却希望ユーザ情報登録部（第１ユーザ登録手段）
２５ 購入希望ユーザ情報登録部（第２ユーザ登録手段）
２６ 公開情報生成部
４０ 車両
４１ 表示シール、バーコードシール
４３ ２次元バーコード（情報記録媒体）
【図１】
2010134534.tif 000003
【図２】
2010134534.tif 000004
【図３】
2010134534.tif 000005
【図４】
2010134534.tif 000006
【図５】
2010134534.tif 000007
【図６】
2010134534.tif 000008
【図７】
2010134534.tif 000009
【図８】
2010134534.tif 000010
【図９】
2010134534.tif 000011
【国際調査報告】
2010134534.tif 000012
2010134534.tif 000013
2010134534.tif 000014
2010134534.tif 000015